(57)【要約】      （修正有）【課題】塵芥収集車の塵芥収容箱内火災を早期に発見して、初期消火の機会を逸しないとともに、火災の延焼、鎮火などの判断情報を塵芥収集車の運転席に知らせる塵芥収集車の塵芥収容箱内火災の検知抑制装置を提供する。【解決手段】塵芥収集車１４の塵芥収容箱１０天井部外側に煙センサー１およびまたは、温度センサー２を取付け、塵芥収集車の運転席に前記センサーの検知情報を受信する受信装置１５を装着した。また、塵芥投入箱内の遮蔽板１２に、遮蔽板まわりの空気の流出入を遮断する泡消火装置４を装着した。さらに、塵芥収容箱内で火災が発生し、予め設定した温度以上になった場合に、泡消火装置を作動させる自動作動装置７と、泡消火装置を作動させられる手動作動装置８と、停止ボタン１６を押すことにより作動を停止させる作動停止装置１３を装着した。【選択図】図１
0003174840.tif 000002
【実用新案登録請求の範囲】
【請求項１】
塵芥収集車の運転席後方の荷台上に設けられ、収容箱駆動装置により傾動駆動され、後部を開口した塵芥収容箱と、該塵芥収容箱と連通し、該塵芥収容箱の後部上端側に軸支され、投入箱駆動装置により回動駆動される塵芥投入箱と、該塵芥投入箱内に投入された塵芥を前記塵芥収容箱に積み込む積込装置とを備える塵芥収集車において、前記塵芥収集車の塵芥収容箱天井部外側に煙センサーおよびまたは、温度センサーを取付け、前記塵芥収集車の運転席に前記センサーの検知情報を受信する受信装置を装着したことを特徴とする塵芥収集車の塵芥収容箱内火災検知抑制装置。
【請求項２】
前記塵芥収容箱の塵芥室と前記塵芥投入箱の積込装置とを区分けするように、前記塵芥投入箱の幅方向全体に亘って延設された遮蔽板とを有する塵芥収集車において、前記遮蔽板に、該遮蔽板まわりの空気の流出入を遮断する泡消火装置を装着したこと特徴とする請求項１に記載の塵芥収集車の塵芥収容箱内火災検知抑制装置。
【請求項３】
前記塵芥収容箱内で火災が発生し、予め設定した温度以上になった場合に、前記泡消火装置を作動させる自動作動装置と、前記泡消火装置を作動させる手動作動装置と、前記運転席に取付けられた停止ボタンを押すことにより前記泡消火装置の作動を停止させる作動停止装置を装着したことを特徴とする請求項１に記載の塵芥収集車の塵芥収容箱内火災検知抑制装置。
【考案の詳細な説明】
【技術分野】
【０００１】  本考案は、塵芥収集車の塵芥収容箱内において火災が発生した場合に、早期に検知してこれを運転席に知らせるとともに、該塵芥収容箱内の火災による温度の変化を検知して火災の延焼、鎮火などの判断情報を運転席に知らせる装置と該塵芥収容箱内の火災の延焼を自動作動または手動作動で抑制する装置に関する。
【背景技術】
【０００２】  従来の塵芥収集車の塵芥収容箱内火災の検知装置は、特許文献１には、塵芥収容箱と、塵芥収容箱の後部上端側に軸支された塵芥投入箱との連通した部分にある隙間上部に煙感知器を設置した検知装置がある。【０００３】  また、特許文献２には、塵芥収容箱の塵芥室と塵芥投入箱の積込装置とを区分けするように、塵芥投入箱の幅方向全体に亘って延設された遮蔽板の上部に、煙が流入可能な煙流入孔を有する煙収容部と、この煙収容部内の煙を検知する煙検知装置を備えたものがある。【０００４】  また、実用新案文献３には、塵芥収容箱の内部に火災発生を検知するセンサーを取り付けるとある。【０００５】  次に、塵芥収集車の塵芥収容箱内火災の抑制装置については、特許文献４など、塵芥収容箱内に窒素ガス、水、排気ガス、不活性ガス、二酸化炭素、水蒸気、消火液を吐出させる各吐出装置が提案されている。
【先行技術文献】
【特許文献】
【０００６】
【特許文献１】特開２００３−２６３０３  号公報
【特許文献２】特開２０１０−２３５３０６  号公報
【特許文献４】特開２００５−１７０６４４  号公報
【実用新案文献３】
実用新案登録第３０８４５３２号公報
【考案の概要】
【考案が解決しようとする課題】
【０００７】  しかしながら、特許文献１の場合は、該検知装置は、該塵芥収容箱内での火災の延焼が進んで該塵芥収容箱内に煙が充満し外部への煙の吹き出しを待たねば火災の発生が検知されず、初期消火の機会を逸する。【０００８】  また、特許文献２の場合は、煙流入孔の上部近くに塵芥収容箱と塵芥投入箱とを連通した部分にある隙間があり、塵芥収容箱内に煙が充満した後、煙はこの隙間の方に流出し易く、多数の開孔により形成された煙流入孔を通しての密閉構造の煙収容部への煙の流入は少なく、検知が遅れ、初期消火の機会を逸する。【０００９】  また、実用新案文献３の場合は、塵芥収容箱には、投入された塵芥が積込装置により高圧で押し込まれ内部には大きな圧力がかかることと、塵芥収容箱内の塵芥の排出は、ダンプ排出であるため、塵芥収容箱へのセンサーの取付による内部突起物の設置は、排出に支障があることから塵芥収容箱内部へのセンサーの設置は適切でない。【００１０】  以上のことから、本考案は、塵芥収集車の塵芥収容箱内火災を早期に発見して、初期消火の機会を逸しないとともに、火災の延焼、鎮火などの判断情報を運転席に知らせる塵芥収集車の塵芥収容箱内火災検知装置を提供することを目的とする。【００１１】  また、塵芥収集車の塵芥収容箱内火災の抑制装置については、特許文献４など、塵芥収容箱内に窒素ガス、水、排気ガス、不活性ガス、二酸化炭素、水蒸気、消化液を吐出させる各吐出装置が提案されているが、それぞれ、設備が大掛かりなもので、高価でもあり、普及するに至っていない。また、従来の各装置の多くには、火災発生時に運転席に人が不在の場合や、電気系統の故障により装置が作動できない場合の対策が不十分であった。本考案は、安価で、普及し易く、火災発生時に運転席に人が不在の場合や、電気系統の故障により装置が作動できない場合にも火災対応できる、塵芥収集車の塵芥収容箱内火災抑制装置を提供することを目的とする。
【課題を解決するための手段】
【００１２】  以上の課題を解決するために、請求項１の考案は、塵芥収集車の運転席後方の荷台上に設けられ、収容箱駆動装置により傾動駆動され、後部を開口した塵芥収容箱と、該塵芥収容箱と連通し、該塵芥収容箱の後部上端側に軸支され、投入箱駆動装置により回動駆動される塵芥投入箱と、該塵芥投入箱内に投入された塵芥を前記塵芥収容箱に積み込む積込装置とを備える塵芥収集車において、前記塵芥収集車の塵芥収容箱天井部外側に煙センサーおよびまたは、温度センサーを取付け、前記塵芥収集車の運転席に前記センサーの検知情報を受信する受信装置を装着したことを特徴とする塵芥収集車の塵芥収容箱内火災検知抑制装置である。【００１３】  請求項２の考案では、前記塵芥収容箱の塵芥室と前記塵芥投入箱の積込装置とを区分けするように、前記塵芥投入箱の幅方向全体に亘って延設された遮蔽板とを有する塵芥収集車において、前記遮蔽板に、該遮蔽板まわりの空気の流出入を遮断する泡消火装置を装着したこと特徴とする。【００１４】  請求項３の考案では、前記塵芥収容箱内で火災が発生し、予め設定した温度以上になった場合に、前記泡消火装置の電動バルブを作動させる自動作動装置と、前記泡消火装置の手動バルブを作動させる手動作動装置と、前記運転席に取付けられた停止ボタンを押すことにより前記泡消火装置の作動を停止させる作動停止装置を装着したことを特徴とする。
【考案の効果】
【００１５】    請求項１の考案によれば、塵芥収容箱内の火災が発生すると、その煙は、塵芥収容箱の天井部に集まるので、早期に煙を検知し、運転席に知らせることができ、初期消火が可能となる。また、温度センサーの検知情報により、塵芥収容箱内の温度の変化がわかり、延焼、鎮火の判断に役立つ。【００１６】  請求項２の考案によれば、遮蔽板に泡消火装置を装着すれば、他の大掛かりな設備より、安価に提供でき、晋及し易い。【００１７】  請求項３の考案によれば、火災発生時に運転席に人が不在の場合や、電気系統の故障により装置が作動できない場合にも火災対応できる。
【図面の簡単な説明】
【００１８】
【図１】本考案の一実施形態を示す塵芥収集車の概略側面図である。
【考案を実施するための形態】
【００１９】  本考案に係る一実施形態を、図１を参照して以下説明する。
【実施例】  塵芥収集車１４の塵芥収容箱１０天井部外側に煙センサー１およびまたは、温度センサー２を取付け、塵芥収集車１４の運転席１４ａに煙センサー１と温度センサー２の検知情報を受信する受信装置１５を装着した。今回は、無線による送受信としたが、有線でも良い。また、塵芥投入箱１１内の遮蔽板１２に、遮蔽板１２まわりの空気の流出入を遮断する泡消火装置４を装着した。さらに、塵芥収容箱１０内で火災が発生し、予め設定した温度以上になった場合に、泡消火装置４の電動バルブ５を作動させる自動作動装置７と、泡消火装置４の手動バルブ６を作動させる手動作動装置８と、運転席１４ａに取付けられた停止ボタン１６を押すことにより泡消火装置の作動を停止させる作動停止装置１３を装着した。図中の符号３は、煙センサー１や温度センサー２の検知・作動の障害となる洗車水や塵芥付着を防止するガードパネルを図示している。また、図中の符号９は、泡消火装置４の泡消火剤を遮蔽板まわりの空気の流出入を遮断するように噴射するノズル９で、遮蔽板１２に取付けた様子を図示している。【００２０】  本実施例によれば、塵芥収容箱１０内の火災が発生すると、その煙は、該塵芥収容箱１０の天井部に集まるので、早期に煙を検知し、運転席１４に知らせることができ、初期消火が可能となる。また、温度センサー２の検知情報により、塵芥収容箱１０内の温度の変化がわかり、延焼、鎮火の判断に役立つ。また、遮蔽板１２に泡消火装置４を装着すれば、他の大掛かりな設備より、安価に提供でき、普及し易い。さらに、火災発生時に塵芥収集車１４の運転席１４ａに人が不在の場合や、電気系統の故障により装置が作動できない場合にも火災対応できる。
【符号の説明】
【００２１】  １  煙センサー
２  温度センサー
３  ガードパネル
４  泡消火装置
５  電動バルブ
６  手動バルブ
７  自動作動装置
８  手動作動装置
９  ノズル
１０  塵芥収容箱
１１  塵芥投入箱
１２  遮蔽板
１３  作動停止装置
１４  塵芥収集車
１４ａ塵芥収集車の運転席
１５  受信装置
１６  停止ボタン
【図１】
0003174840.tif 000003